(57)【要約】【課題】記録紙カセットに対応して設定された記録紙サイズと、搬送された実際の記録紙サイズとが一致しない場合に、重送か記録紙サイズエラーかを的確に判定することのできるデジタル複合機を提供する。【解決手段】少なくとも、記録紙カセットにセットされている記録紙サイズを設定する設定手段１０Ａと、記録紙カセットから搬送されてくる記録紙サイズを検出するセンサＳ１と、原稿画像の記録時には、設定手段１０Ａで設定されている記録紙サイズと、センサＳ１で検出した記録紙サイズとが一致しているときにはその旨を記憶し、その旨が記憶されている状態で、設定手段１０Ａで設定されている記録紙サイズと、センサＳ１で検出した記録紙サイズとが不一致のときに、原稿が重送されたものとする制御手段１とを備える。【選択図】図１
2005077554.tif 000002
【特許請求の範囲】
【請求項１】
少なくとも、記録紙カセットにセットされている記録紙サイズを設定する設定手段と、上記記録紙カセットから搬送されてくる記録紙サイズを検出するセンサと、原稿画像の記録時には、上記設定手段で設定されている記録紙サイズと、上記センサで検出した記録紙サイズとが一致しているときにはその旨を記憶し、その旨が記憶されている状態で、上記設定手段で設定されている記録紙サイズと、上記センサで検出した記録紙サイズとが不一致のときに、原稿が重送されたものとする制御手段とを備えるデジタル複合機。
【請求項２】
請求項１において、
上記制御手段は、上記設定手段で設定されている記録紙サイズと、上記センサで検出した記録紙サイズとが不一致である際に、上記設定手段で設定されている記録紙サイズと、上記センサで検出した記録紙サイズとが不一致ではない旨が記憶されていないときには、記録紙サイズ設定エラーとするデジタル複合機。
【発明の詳細な説明】
【技術分野】
【０００１】
本発明は、予め装置に設定されている記録紙サイズと、実際に搬送して検出した記録紙サイズとの一致を判別するデジタル複合機に関する。
【背景技術】
【０００２】
近時、オフィスなどにおいて、下記特許文献１に示すようなデジタル複合機が広く使用されている。このものは、予め記録紙カセットに備えたサイズ設定手段により、セットされる記録紙サイズを設定により、あるいは、カセットにあるセンサにより、そのカセットにセットされる記録紙サイズが設定されるようにしている。
【０００３】
ところで、カセットにある記録紙は、搬送部により印字部に搬送され画像転写されるが、搬送部で検出した実際の記録紙サイズと、設定された記録紙サイズとが一致していないときには、コピー時にユーザが指定した、画像転写すべき記録紙サイズとは異なるサイズの記録紙にコピーしてしまうおそれがあるため、このような場合には、一致しない旨を記録紙サイズエラーとして通知し、ユーザに記録紙サイズの再設定を促す。
【特許文献１】特開平１０−６５８４２号公報
【発明の開示】
【発明が解決しようとする課題】
【０００４】
ところで、記録紙カセットから、記録紙が２枚以上重なって搬送される事態、いわゆる重送される事態が生じることがあり、このような場合でも、設定されたサイズと実際のサイズとが一致しないため、記録紙サイズエラーとして通知されるため、設定作業をしなおす必要があり不便であった。
【０００５】
本発明は、上記事情を考慮して提案されるものであり、記録紙カセットに対応して設定された記録紙サイズと、搬送された実際の記録紙サイズとが一致しない場合に、重送か記録紙サイズエラーかを的確に判定することのできるデジタル複合機を提供することを目的としている。
【課題を解決するための手段】
【０００６】
上記目的を達成するために、本発明の請求項１では、少なくとも、記録紙カセットにセットされている記録紙サイズを設定する設定手段と、記録紙カセットから搬送されてくる記録紙サイズを検出するセンサと、原稿画像の記録時には、設定手段で設定されている記録紙サイズと、センサで検出した記録紙サイズとが一致しているときにはその旨を記憶し、その旨が記憶されている状態で、設定手段で設定されている記録紙サイズと、センサで検出した記録紙サイズとが不一致のときに、原稿が重送されたものとする制御手段とを備える。
【０００７】
請求項２では、制御手段は、設定手段で設定されている記録紙サイズと、センサで検出した記録紙サイズとが不一致である際に、設定手段で設定されている記録紙サイズと、センサで検出した記録紙サイズとが不一致ではない旨が記憶されていないときには、記録紙サイズ設定エラーとする。
【発明の効果】
【０００８】
本発明の請求項１では、設定手段で設定されている記録紙サイズと、記録紙サイズとが一致しているときにはその旨を記憶し、その旨が記憶されている状態で、設定手段で設定されている記録紙サイズと、センサで検出した記録紙サイズとが不一致のときに、原稿が重送されたものとするので、設定手段で設定されている記録紙サイズと、記録紙サイズとが一致しているにもかかわらず、記録紙サイズエラーと判定されないため、無駄にサイズ変更操作が強いられず使い勝手が向上する。
【０００９】
請求項２では、設定手段で設定されている記録紙サイズと、センサで検出した記録紙サイズとが不一致である際に、設定手段で設定されている記録紙サイズと、センサで検出した記録紙サイズとが不一致ではない旨が記憶されていないときには、記録紙サイズ設定エラーとするので、的確に記録紙サイズエラーを通知できる。
【発明を実施するための最良の形態】
【００１０】
以下に、本発明の実施の形態について説明する。
【実施例１】
【００１１】
図１は、本発明のデジタル複合機の要部構成の一例を示す図である。なお、ここでは、デジタル複合機の一例としてファクシミリ装置Ｆの構成を示しているが、記録紙カセットを備え、そこから搬送された記録紙に、スキャナで読み取った画像を転写する構成であれば何を用いてもよい。
【００１２】
このファクシミリ装置Ｆは、制御手段を構成し、このファクシミリ装置Ｆを制御するＣＰＵ１と、電話回線Ｌに対する接続制御をするＮＣＵ２と、ファクシミリ通信のために必要な各種信号の変復調をするモデム３と、短縮ダイヤルなどを登録するＲＡＭ４と、このファクシミリ装置Ｆは動作するのに必要なプログラムなどを格納するＲＯＭ５と、セットされた原稿を読み取り画像データを形成するスキャナ６と、記録紙カセットから記録紙を搬送する搬送部７と、液晶画面などで構成される表示部８と、各種操作キーなどで構成される操作部９と、セットされた記録紙に画像データを転写するプリンタ１０とを備える。
【００１３】
搬送部７は、記録紙カセットにセットされている記録紙をローラーなどによって画像転写部に搬送する機能を有し、その適所に、搬送される記録紙サイズを検出する記録紙サイズ検出センサＳ１を備える。
【００１４】
また、プリンタ１０には、設定手段を構成する記録紙サイズ設定部１０Ａを備えている。この設定部１０Ａは、記録紙カセットに対応してダイヤルスイッチなどとして設けられており、Ａ３、Ｂ５、Ａ４など設定できるようになっている。なお、このような構成に限られず、カセットにセットした記録紙サイズを自動的に検出するような構成であってもよい。
【００１５】
このような構成のファクシミリ装置Ｆは、以下の基本動作をなす。これについて、図２，３とともに説明する。すなわち、設定された記録紙サイズと実際の記録紙サイズが一致してプリントされたときには（１００）、正常に記録したことを示す正常記録済フラグを立て、再記録済フラグがセットされていればこれをクリアする（１０１，１０２）。
【００１６】
一方、正常にプリントできなかったとき、すなわち、設定された記録紙サイズと実際の記録紙サイズとが一致しないときには（１００）、正常記録済フラグがセットされていれば、以前にコピーした記録紙はサイズエラーではなかったため、サイズエラーとはみなさず用紙重送と判定する（１０４）。その後は図４（ａ）の再記録処理に移行するが、初めて用紙重送とみなされたときには再プリントは行っていない状態であるため、再記録済フラグはセットされていないため、そのフラグをセットしてから、図３の処理に戻る（２００，２０１）。その後、正常にプリントができればこの再記録済フラグがクリアされる。
【００１７】
一方、再記録済フラグがセットされていれば（２００）、再記録をしたにもかかわらず、設定された記録紙サイズと実際の記録紙サイズとが一致しない状態となっているため、用紙重送ではなく、記録紙サイズの設定エラーと判定し（２０２）、その後、図４（ｂ）の処理に移行して、記録紙サイズが正しく設定され変更されれば（３００，３０１）、図３の処理に戻る。
【産業上の利用可能性】
【００１８】
本発明装置は、オフィスなどに広く用いられるコピー機、ファクシミリ装置などに適用できる。
【図面の簡単な説明】
【００１９】
【図１】本発明の内部構成の一例を示す図である。
【図２】本発明の動作について説明するためのフローチャートである。
【図３】本発明の動作について説明するためのフローチャートである。
【符号の説明】
【００２０】
Ｆ・・・ファクシミリ装置
１・・・ＣＰＵ
Ｓ１・・・記録紙サイズ検出センサ
１０Ａ・・・記録紙サイズ設定部
【図１】
2005077554.tif 000003
【図２】
2005077554.tif 000004
【図３】
2005077554.tif 000005